(57)【要約】【課題】カムコーダで撮影した動画データの撮影日時や撮影場所などを容易に把握できるようにするための補助情報を作成する。【解決手段】車載装置１は、実装されている車両の走行履歴を走行履歴情報３１として記憶している。ユーザは、カムコーダ６で動画データを撮影するために移動した際の走行履歴情報をコントロール部４１から選択する。走行履歴情報には、出発地点、到着地点、出発地点から到着地点までの経路（走行軌跡）が含まれている。演算部５１は、地図情報３４を読み出して、これら出発地点、到着地点、経路を含む地図を作成し、地図上において、出発地点から到着地点まで経路に沿って車両アイコンが移動する動画コンテンツを作成する。そして、カムコーダの動画データが撮影された状況を説明するための補助情報として、動画コンテンツをカムコーダに記憶させる。【選択図】図１
2009111683.tif 000002
【特許請求の範囲】
【請求項１】
出発地点、到着地点、前記出発地点から到着地点までの経路を含む走行履歴情報を所定の情報記憶部から読み出す走行履歴情報読み出し手段と、
特定の走行履歴情報をユーザに選択させ、前記特定の走行履歴情報を前記走行履歴情報読み出し手段に読み出させる走行履歴情報選択制御手段と、
地図情報を所定の情報記憶部から読み出す地図情報読み出し手段と、
前記走行履歴情報読み出し手段で読み出された前記特定の走行履歴情報に含まれる前記出発地点、前記到着地点、前記経路を表示する地図情報を前記地図情報読み出し手段に読み出させ、地図として最低限度の情報である前記出発地点と前記到着地点と前記経路と代表的な地名と出発地点名と到着地点名と前記経路の道路名と背景とを示し、１画面に収まる縮尺で略地図を作成する地図作成手段と、
前記地図作成手段で作成された前記地図上において、前記出発地点から前記到着地点まで前記経路に沿って移動体アイコンが移動する動画コンテンツを作成する動画コンテンツ作成手段とを、
有するコンテンツ作成装置。
【請求項２】
前記走行履歴情報が表す状況において撮影された動画データを記憶する動画データ記憶手段と、
前記動画コンテンツ作成手段で作成された前記動画コンテンツを、前記動画コンテンツの作成の際に参照した前記走行履歴情報に関連する前記前記動画データの補助情報として関連付け、前記動画コンテンツを前記動画データと同一の前記動画データ記憶手段に記憶させる動画コンテンツ記憶制御手段とを、
有する請求項１に記載のコンテンツ作成装置。
【請求項３】
前記経路上の各地点を通過した際の日時情報が前記走行履歴情報に更に含まれており、前記動画コンテンツ作成手段が、前記経路に沿って移動する前記移動体アイコンの位置する地点に対応した前記日時情報を同時に表示する動画コンテンツを作成するように構成されている請求項１又は２に記載のコンテンツ作成装置。
【発明の詳細な説明】
【技術分野】
【０００１】
本発明は、動画コンテンツを作成するコンテンツ作成装置に関し、特に、カムコーダ（動画撮影記録装置）によって撮影された動画データの補助情報として用いられる動画コンテンツを作成するコンテンツ作成装置に関する。
【背景技術】
【０００２】
カムコーダで撮影・記録した動画データを記録メディアに保存する際には、ＤＶＤ（Digital Versatile Disc）レコーダやＰＣ（Personal Computer：パーソナルコンピュータ）などの編集機器を使用する場合がある。この場合には、撮影した動画データを編集機器にコピーし、編集機器において動画データを各記録メディアのフォーマットに従って変換した後に記録メディアへの保存が行われる。
【０００３】
編集機器における編集操作では、ユーザは、記録メディアに保存する動画データの内容を容易に把握できるようにするため、動画データの補助情報としてメニューページやタイトルなどを編集・追加する。例えば、動画データが撮影された日時や場所などの情報をタイトルにテキストベースで入力し、このタイトルを補助情報として動画データと共に記録メディアに保存することで、補助情報の内容から、動画データの撮影日時や撮影場所などを把握することが可能となる。
【０００４】
また、下記の特許文献１には、ナビゲーションの機能を利用して、算出された経路情報と時刻情報と位置情報に基づいて自動録画の制御を行う技術や、録画された動画データの再生の際に撮影地点や撮影方向を地図で表示する技術などが開示されている。
【特許文献１】特開平１１−９４５７１号公報
【発明の開示】
【発明が解決しようとする課題】
【０００５】
しかしながら、特許文献１に開示されている技術では、録画された動画データの再生の際に、その動画データの撮影地点に到着するまでの出発地点や、出発地点から撮影地点に到着するまでに経由した経路、撮影地点に行くために要した時間などを把握することができない。また、カムコーダで撮影した動画データを編集する際に、ユーザが撮影日時や撮影場所をタイトルにテキストベースで入力することはできるが、録画された動画データと共にその撮影地点に着くまでに経由した走行履歴情報を記録メディアに保存することは困難である。
【０００６】
また、たとえ走行履歴情報を記録メディアに保存して、ナビゲーション装置のデモ走行機能のように走行履歴をたどって地図スクロールした動作を作成しても、運転時の誘導に特化したスクロール表示するコンテンツでは、味気ない映像となってしまう。作成したコンテンツを視聴するユーザにとっては、具体的な経由情報がいくら増えても実感が沸かず、ユーザが十分に満足できるものではなかった。
【０００７】
また、ユーザが、撮影地点に到着するまでに経由した経路（道路名や通過地点名など）をテキストベースでタイトルに入力することは可能であるが、この場合には、ユーザは面倒な入力操作を行って詳細な情報を入力しなければならず、また、実際に走行したユーザ以外の人や、道路名又は地名に詳しくない人にとっては、どの経路を経由して撮影地点に到着したのかを明確にイメージすることが困難である。
【０００８】
上記の問題を解決するため、本発明は、カムコーダで撮影した動画データの撮影日時や撮影場所などを容易に把握できるようにするための補助情報（動画コンテンツ）を作成するコンテンツ作成装置を提供することを目的とする。
【課題を解決するための手段】
【０００９】
上記目的を達成するため、本発明によれば、出発地点、到着地点、前記出発地点から到着地点までの経路を含む走行履歴情報を所定の情報記憶部から読み出す走行履歴情報読み出し手段と、
特定の走行履歴情報をユーザに選択させ、前記特定の走行履歴情報を前記走行履歴情報読み出し手段に読み出させる走行履歴情報選択制御手段と、
地図情報を所定の情報記憶部から読み出す地図情報読み出し手段と、
前記走行履歴情報読み出し手段で読み出された前記特定の走行履歴情報に含まれる前記出発地点、前記到着地点、前記経路を表示する地図情報を前記地図情報読み出し手段に読み出させ、地図として最低限度の情報である前記出発地点と前記到着地点と前記経路と代表的な地名と出発地点名と到着地点名と前記経路の道路名と背景とを示し、１画面に収まる縮尺で略地図を作成する地図作成手段と、
前記地図作成手段で作成された前記地図上において、前記出発地点から前記到着地点まで前記経路に沿って移動体アイコンが移動する動画コンテンツを作成する動画コンテンツ作成手段とを、
有するコンテンツ作成装置が提供される。
【００１０】
さらに、本発明によれば、上記の構成に加えて、前記走行履歴情報が表す状況において撮影された動画データを記憶する動画データ記憶手段と、
前記動画コンテンツ作成手段で作成された前記動画コンテンツを、前記動画コンテンツの作成の際に参照した前記走行履歴情報に関連する前記前記動画データの補助情報として関連付け、前記動画コンテンツを前記動画データと同一の前記動画データ記憶手段に記憶させる動画コンテンツ記憶制御手段とを、
有するコンテンツ作成装置が提供される。
【００１１】
さらに、本発明によれば、上記の構成に加えて、前記経路上の各地点を通過した際の日時情報が前記走行履歴情報に更に含まれており、前記動画コンテンツ作成手段が、前記経路に沿って移動する前記移動体アイコンの位置する地点に対応した前記日時情報を同時に表示する動画コンテンツを作成するように構成されているコンテンツ作成装置が提供される。
【発明の効果】
【００１２】
本発明は上記の構成を有しており、撮影地点までに行くまでに経由した経路が分かる動画コンテンツを効率的に作成できるようになるという効果を奏する。
【発明を実施するための最良の形態】
【００１３】
以下、図面を参照しながら、本発明の実施の形態について説明する。まず、図１を参照しながら、本発明の実施の形態におけるコンテンツ作成装置の構成について説明する。なお、以下では、本発明の実施の形態におけるコンテンツ作成装置が、例えば自動車などの車両に搭載されている車載装置の機能として実現されている場合について説明するが、コンテンツ作成装置は必ずしも車載装置に実装されている必要はない。
【００１４】
図１には、本発明の実施の形態におけるコンテンツ作成装置を含む車載装置の構成の一例が図示されている。図１に図示されている車載装置１は、自車の現在地を検出する自車位置検出部２、道路地図や道路法規に関する地図情報や、車両の走行履歴を含む走行履歴情報などの様々な情報を記憶する情報記憶部３、ユーザ（使用者）とのインタフェースとして機能するユーザインタフェース部４、経路検索や動画コンテンツ作成などを始めとする各種処理を行う情報処理部５を備えている。また、車載装置１には、カムコーダ６が接続可能である。
【００１５】
自車位置検出部２は、ＧＰＳ（Global Positioning System）衛星からのＧＰＳ信号を受信するＧＰＳセンサ２１、車両の向き（方角）を確認するためのジャイロセンサ２２、道路交通情報を含むＶＩＣＳ（Vehicle Information and Communication System）情報を受信するＶＩＣＳセンサ２３、速度センサ２４を備えている。このような自車位置検出部２は、外部からの電波や情報を受信したり、車両の状態（速度や傾きなど）を検出したりすることによって、車両の現在地や現在の移動速度（速さ及び方向）に関する情報を情報処理部５に送信する。なお、自車位置検出部２は、上述以外のセンサ機能（例えば、加速度センサ機能）を備えていてもよい。
【００１６】
また、情報記憶部３は、走行しているときの現在地情報、日時情報、出発地情報、到着地情報を含む走行履歴情報３１や、カムコーダ６の録画再生フォーマットに変換するためのコーデック情報３２、自車位置やその他のランドマークを地図上に表示するためのアイコン情報３３、地図情報３４などの様々な情報を記憶することが可能である。情報処理部５は、必要に応じて情報記憶部３に情報を格納したり、情報記憶部３から情報を読み出したりすることが可能であり、上述以外の任意の情報を格納することも可能である。なお、走行履歴情報３１は、出発地点を示す出発地情報、到着地点（目的地）を示す到着地情報、走行軌跡（走行経路）に関する情報、各地点を通過したときの日時を示す日時情報などによって構成されている。
【００１７】
また、ユーザインタフェース部４は、各種の画面を表示するＬＣＤ（Liquid Crystal Display：液晶ディスプレイ）などのディスプレイ４２、ユーザ（車両のドライバ）からの操作を受け付けるリモートコントローラや操作パネルなどのコントロール部４１を備えている。なお、ディスプレイ４２は表示部及び音声出力部として機能し、情報処理部５から供給された画像情報や音声情報を出力する機能を有している。また、コントロール部４１はユーザ操作入力部として機能し、ユーザによる動画コンテンツの作成指示や、出発地点及び到着地点を含む走行履歴情報などの選択指示がコントロール部４１から情報処理部５に送信される。
【００１８】
また、情報処理部５は、各種の演算を行う演算部５１、自車位置検出部２との間で情報を送受信するためのセンサインタフェース５２、カムコーダ６との接続状態を検知して、カムコーダ６と接続している場合にはカムコーダ６への動画コンテンツの送信（記録）を送信するための外部通信部５３を備えている。
【００１９】
演算部５１は、車載装置１内の各機能部を集中的に制御するＣＰＵ（Central Processing Unit：中央演算処理装置）、ＣＰＵが実行する各種プログラムなどを格納するＲＯＭ（Read Only Memory：リードオンリーメモリ）、ＣＰＵのワークエリアとして機能するＲＡＭ（Random Access Memory：ランダムアクセスメモリ）、タイマ及び画像メモリなど（いずれも図示せず）から構成されており、各種の演算処理を実行する。
【００２０】
例えば、演算部５１は、自車位置検出部２で検出された現在地情報及び情報記憶部３に記憶されている地図情報３４に基づいて、現在地を含む地図をディスプレイ４２に表示するための画像情報を作成して、ユーザインタフェース部４に送信する機能を有している。また、この際に、演算部５１は、自車位置検出部２から供給される道路交通情報に基づいて渋滞情報や事故情報などを同時にユーザに報知してもよい。また、ユーザが目的地を入力した場合には、演算部５１はこの目的地を設定するとともに、現在地から目的地までの経路案内を行う機能を有している。
【００２１】
また、演算部５１は、現在地情報や道路交通情報、日時情報、出発地情報、到着地情報（目的地情報）を情報記憶部３に随時送信し、走行履歴情報３１として情報記憶部３に記憶させる機能を有している。なお、移動又は時間経過に伴って情報記憶部３に現在地情報が記憶されることによって走行の軌跡（走行経路情報）が記憶されることになる。
【００２２】
また、演算部５１は、情報記憶部３内の走行履歴情報３１、アイコン情報３３、地図情報３４を用いて動画コンテンツを作成し、さらに、コーデック情報３２を用いて、動画コンテンツをカムコーダ６の録画再生フォーマットに変換する機能を有している。なお、演算部５１は、作成した動画コンテンツを外部通信部５３を介してカムコーダ６に送信し、カムコーダ６で撮影した動画データの補助情報としてカムコーダ６に保存させる。
【００２３】
また、カムコーダ６は、動画の撮影を行うための撮影部６１、撮影部６１で撮影された動画データを保存する動画データ記録部６２を備えている。なお、動画データ記録部６２には、車載装置１から供給される補助情報（動画コンテンツ）も保存される。また、カムコーダ６が動画データを再生して、動画の表示・音声出力を行うためのディスプレイを備えていてもよい。
【００２４】
次に、本発明の実施の形態におけるコンテンツ作成装置の動作について説明する。図２には、本発明の実施の形態におけるコンテンツ作成装置を含む車載装置の動作の一例が図示されている。
【００２５】
例えば、ユーザが、カムコーダ６で撮影した動画データの補助情報を作成する指示を車載装置１に入力した場合に、図２に示すフローチャートの動作が開始される。図２において、演算部５１は、情報記憶部３に記憶されているすべての走行履歴情報３１の出発地情報を取得して、これらの出発地情報をディスプレイ４２にリスト表示する（ステップＳ１）。ユーザは、コントロール部４１を通じて、動画コンテンツを作成したい経路の出発地点をリストから選択する。演算部５１は、ユーザによって選択された出発地点を動画コンテンツ作成のための出発地点として設定する（ステップＳ２）。
【００２６】
また、演算部５１は、情報記憶部３に記憶されているすべての走行履歴情報３１の到着地情報を取得して、これらの到着地情報をディスプレイ４２にリスト表示する（ステップＳ３）。ユーザは、コントロール部４１を通じて、動画コンテンツを作成したい経路の到着地点をリストから選択する。演算部５１は、ユーザによって選択された到着地点を動画コンテンツ作成のための到着地点として設定する（ステップＳ４）。
【００２７】
なお、ステップＳ１〜Ｓ４の処理によって、動画コンテンツを作成する際の出発地点及び到着地点が設定されるが、走行履歴情報３１が出発地情報及び到着地情報をセットで有していることを利用して、ユーザが、出発地点及び到着地点をより簡単に選択できるようにしてもよい。例えば、演算部５１は、走行履歴情報３１（例えば、出発地点及び到着地点、日時のセット）のリストをディスプレイに表示し、走行履歴情報３１をユーザに選択させてもよい。また、演算部５１は、上記のステップＳ１又はステップＳ３における出発地情報又は到着地情報のリストを表示し、このリストに基づいて選択された出発地情報又は到着地情報とセットになっている到着地情報又は出発地情報のみを表示して、ユーザに選択させてもよい。また、走行履歴情報３１が記録された日時情報を表示することによって、ユーザが容易に走行履歴情報３１の選択を行えるようにしてもよい。
【００２８】
動画コンテンツを作成する際の出発地点及び到着地点の設定に加えて、演算部５１は、ユーザに対して、さらに動画コンテンツの再生時間の入力を要求する。そして、演算部５１は、コントロール部４１から動画コンテンツの再生時間の入力を受けると、入力された再生時間をコンテンツ再生時間として設定する（ステップＳ５）。なお、ユーザに入力を求めず、あらかじめ定められたコンテンツ再生時間を設定してもよい。
【００２９】
そして、演算部５１は、ステップＳ２及びステップＳ４で設定された出発地点及び到着地点から特定される走行履歴情報３１、アイコン情報３３、地図情報３４、ステップＳ５で設置されたコンテンツ再生時間に基づいて、出発地点から到着地点までの走行軌跡をが把握できる動画コンテンツを作成する（ステップＳ６）。なお、ステップＳ６における動画コンテンツ作成処理の詳細については、後で図３を参照しながら説明する。
【００３０】
そして、演算部５１は、作成した動画コンテンツをカムコーダ６が保存可能かつ再生可能な録画再生フォーマットに変換し（ステップＳ７）、フォーマット変換した動画コンテンツを外部通信部５３を通じてカムコーダ６に転送して保存させる（ステップＳ８）。
【００３１】
なお、ステップＳ８で作成された動画コンテンツは、単にカムコーダ６に保存されるだけでもよいが、その動画コンテンツの作成に利用された走行履歴情報３１が示す日時に撮影された動画データとの関連付けが行われて、その動画データの補助情報として明確に分かる状態で保存されることが望ましい。また、ステップＳ８で作成された動画コンテンツの出力先は、カムコーダ６に限定されるものではなく、例えば、別の記録メディアに保存されたり、任意の通信媒体を通じて別の装置に送信されたりしてもよい。
【００３２】
次に、図２のステップＳ６における動画コンテンツ作成処理の詳細について説明する。図３は、本発明の実施の形態におけるコンテンツ作成装置を含む車載装置の動画コンテンツ作成処理の一例を示すフローチャートである。
【００３３】
図３において、動画コンテンツ作成処理が開始されると、演算部５１は、情報記憶部３内の地図情報３４を用いて、設定された出発地点（図２のステップＳ２）及び到着地点（図２のステップＳ４）が１画面内に収まる地図を作成する（ステップＳ１１）。
【００３４】
ステップＳ１１で作成される地図の一例が図４に図示されている。なお、図４には、出発地点が東京近郊、到着地点が静岡県掛川市付近に設定された場合において、これらの出発地点及び到着地点を１画面上に表示することが可能な関東・東海地方を含む地図が図示されている。
【００３５】
次に、演算部５１は、走行履歴情報３１及び地図情報３４を参照して、設定された出発地点から到着地点までの走行軌跡（道路７１）を、ステップＳ１１で作成した地図上に描画する（ステップＳ１２）。ステップＳ１２で走行軌跡が描画された地図の一例が図５に図示されている。
【００３６】
次に、演算部５１は、ステップＳ１１及びステップＳ１２で作成した出発地点、到着地点、走行軌跡が描画された地図を背景とし、アイコン情報３３より自車アイコン７２を読み出して、その自車アイコン７２を地図上の出発地点に描画する（ステップＳ１３）。なお、このとき、例えば、図６Ａに図示されている画像が作成される。
【００３７】
次に、演算部５１は、実際の出発地点から到着地点までの距離（経由道路長）を走行履歴情報３１から読み出すか、あるいは、走行軌跡に従って出発地点から到着地点までの距離（経由道路長）を地図情報３４から算出し、こうして得られた実際の経由道路長に対して背景として使用される地図の縮尺率を積算することによって（すなわち、下記の式（１）を用いて演算を行うことによって）、地図上の経由道路長を算出する（ステップＳ１４）。
【００３８】
地図上の経由道路長＝出発地点から到着地点までの経由道路長×地図の縮尺率…（１）
【００３９】
さらに演算部５１は、ステップＳ１４で算出された地図上の経由道路長と、図２のステップＳ５で設定されたコンテンツ再生時間とを用いて、地図上の道路７１において、自車アイコン７２を出発地点から到着地点までスクロールする速さを算出する（ステップＳ１５）。この自車アイコン７２のスクロールの速さは、例えば下記の式（２）を用いて算出することが可能である。
【００４０】
スクロールの速さ＝地図上の経由道路長／コンテンツ再生時間…（２）
【００４１】
そして、演算部５１は、ステップＳ１３で自車アイコン７２が出発地点に描画されている状態から、ステップＳ１５で算出された自車アイコン７２のスクロールの速さで道路７１に沿って自車アイコン７２をスクロールし（ステップＳ１６）、自車アイコン７２が到着地点に到達する状態となるまでの一連の動画（動画コンテンツ）を作成する（ステップＳ１７）。
【００４２】
なお、上記の式（２）によって算出されるスクロールの速さを用いて、自車アイコン７２を道路７１に沿ってスクロールすると、自車アイコン７２は出発地点から到着地点まで等速移動することになるが、例えば走行履歴情報３１を参照して、出発地点から到着地点までの任意の地点に位置した際の日時情報を取得し、この日時情報に対応して自車アイコン７２の描画位置を決定することによって、実際に移動した際の滞在地点（休憩地点）や各地点での移動速度を再現する自車アイコン７２のスクロールを実現してもよい。
【００４３】
ステップＳ１７で作成された動画コンテンツは、自車アイコン７２が地図上の出発地点に描画されている画像を再生開始画像とし、自車アイコン７２が、出発地点から到着地点に到達するまでに経由した道路７１上を、上記の式（２）で算出されるスクロールの速さでスクロールし（例えば、図６Ｂに図示されている再生途中画像を参照）、最終的にコンテンツ再生時間後に自車アイコン７２が地図上の到着地点上に描画されている再生終了画像（例えば、図６Ｃに図示されている画像）となる。
【００４４】
また、本発明の実施の形態において、再生画面上に時計アイコン７８を描画表示してもよい。例えば、出発地点を出発したのが○月○日８時で、到着地点に到着したのが○月○日１４時であるとする。この場合、例えば図７Ａに図示されているように、経由した道路７１の出発地点に自車アイコン７２を描画するとともに、出発時刻である８時を表す時計アイコン７８をアイコン情報３３から取得して描画することによって再生開始画像を作成する。
【００４５】
また、コンテンツ再生時間中は、経由した道路７１に沿って自車アイコン７２をスクロールし、自車アイコン７２が位置している地点における日時情報を走行履歴情報３１から取得して、その時刻に対応する時計アイコン７８を描画する。そして、コンテンツ再生時間の経過後、自車アイコン７２を到着地点上に描画するとともに、到着時刻である１４時を表す時計アイコン７８をアイコン情報３３から取得して描画することによって再生終了画像を作成する。
【００４６】
なお、図７Ａ〜図７Ｃでは、時刻を表す時計アイコン７８のみが描画されているが、年月日を含む日時情報や、経由した道路や地点の名称（自車アイコン７２が走行している道路や地点名）などを同一画面上に描画してもよい。また、このような日時情報や地名などの表示に関しては、動画コンテンツの再生時に、ユーザがコントロール部４１を使用してその表示のオン／オフを設定できるようにしてもよい。
【００４７】
以上、説明したように、本発明の実施の形態によれば、出発地点や到着地点、出発地点から到着地点まで経由した道路を把握することができる動画コンテンツを、パソコンなどの編集用ソフトウェアを使用せずに自動で作成することが可能となり、このようにして作成された動画コンテンツを、このときにカムコーダで撮影した動画データの補助情報として利用することが可能となる。
【００４８】
また、本発明の実施の形態によれば、出発地点から到着地点まで経由した道路に沿って自車アイコンがスクロールする動画と同一の画面上に、自車アイコンが各地点を通過した際の日時情報や地名などを描画することによって、移動状況をより明確にする動画コンテンツを作成することが可能となる。
【００４９】
なお、本発明の実施の形態では、本発明に係る機能がブロック図で示されており、本発明に係る処理がフローチャートで示されているが、これらの機能及び処理は、ハードウェア及び／またはソフトウェア（プログラム）によって実現可能である。また、本発明の実施の形態では、本発明に係るコンテンツ作成装置が車載装置に実装されている例を挙げて説明しているが、例えば、本発明に係るコンテンツ作成装置がＧＰＳ付き携帯端末に実装されてもよく、車載装置やＧＰＳ付き携帯端末で蓄積された走行履歴情報（移動体が車両以外の場合には、移動履歴情報）を読み出すことが可能な任意の編集機器（ＰＣなど）に実装されてもよい。
【産業上の利用可能性】
【００５０】
本発明は、撮影地点までに行くまでに経由した経路が分かる動画コンテンツを効率的に作成できるようになるという効果を有し、動画コンテンツを作成する技術に適用可能である。
【図面の簡単な説明】
【００５１】
【図１】本発明の実施の形態におけるコンテンツ作成装置を含む車載装置の構成の一例を示すブロック図である。
【図２】本発明の実施の形態におけるコンテンツ作成装置を含む車載装置の動作の一例を示すフローチャートである。
【図３】本発明の実施の形態におけるコンテンツ作成装置を含む車載装置の動画コンテンツ作成処理の一例を示すフローチャートである。
【図４】図３のステップＳ１１で作成される地図の一例を示す図である。
【図５】図３のステップＳ１２で走行軌跡が描画された地図の一例を示す図である。
【図６Ａ】本発明の実施の形態におけるコンテンツ作成装置で作成される動画コンテンツの再生開始画像の一例を示す図である。
【図６Ｂ】本発明の実施の形態におけるコンテンツ作成装置で作成される動画コンテンツの再生途中画像の一例を示す図である。
【図６Ｃ】本発明の実施の形態におけるコンテンツ作成装置で作成される動画コンテンツの再生終了画像の一例を示す図である。
【図７Ａ】本発明の実施の形態におけるコンテンツ作成装置で作成される動画コンテンツの再生開始画像の別の一例を示す図である。
【図７Ｂ】本発明の実施の形態におけるコンテンツ作成装置で作成される動画コンテンツの再生途中画像の別の一例を示す図である。
【図７Ｃ】本発明の実施の形態におけるコンテンツ作成装置で作成される動画コンテンツの再生終了画像の別の一例を示す図である。
【符号の説明】
【００５２】
１  車載装置
２  自車位置検出部
３  情報記憶部
４  ユーザインタフェース部
５  情報処理部
６  カムコーダ
２１  ＧＰＳセンサ
２２  ジャイロセンサ
２３  ＶＩＣＳセンサ
２４  速度センサ
３１  走行履歴情報
３２  コーデック情報
３３  アイコン情報
３４  地図情報
４１  コントロール部
４２  ディスプレイ
５１  演算部
５２  センサインタフェース
５３  外部通信部
６１  撮影部
６２  動画データ記録部
７１  道路
７２  自車アイコン
７８  時計アイコン
【図１】
2009111683.tif 000003
【図２】
2009111683.tif 000004
【図３】
2009111683.tif 000005
【図４】
2009111683.tif 000006
【図５】
2009111683.tif 000007
【図６Ａ】
2009111683.tif 000008
【図６Ｂ】
2009111683.tif 000009
【図６Ｃ】
2009111683.tif 000010
【図７Ａ】
2009111683.tif 000011
【図７Ｂ】
2009111683.tif 000012
【図７Ｃ】
2009111683.tif 000013